(57)【特許請求の範囲】
【請求項１】
第１のレールと、
前記第１のレールに対して変位可能な第２のレールと、
前記第２のレールに対して変位可能な第３のレールと、
前記第２のレール及び前記第３のレールのうちの一方に配置される同期装置と、
前記第２のレール及び前記第３のレールのうちの他方に配置される接触部と、
を含むスライドレールアセンブリであって、
前記第３のレール及び前記第２のレールは、前記同期装置が前記接触部と協働することを介して、前記第１のレールに対して同期的に変位させることができ、
前記同期装置は、第１の部分と、該第１の部分に接続される本体部とを含み、該第１の部分は、第１の対応区画と、延在区画とを備え、
前記第１の対応区画は、前記延在区画と前記本体部との間に接続される、スライドレールアセンブリ。
【請求項２】
前記同期装置の前記第１の部分と前記本体部との間に開口が設けられ、
前記第１の部分は第２の対応区画をさらに備え、前記延在区画は前記第１の対応区画と該第２の対応区画との間に接続され、該第２の対応区画は前記延在区画と前記本体部との間に接続され、
前記同期装置は弾性材料で構成されている、請求項１に記載のスライドレールアセンブリ。
【請求項３】
前記接触部は第１の接触区画を含み、
引っ込め位置にある前記第３のレールが第１の方向に変位されると、前記接触部は、前記第１の接触区画が前記同期装置の第１の対応区画に当接することにより、前記第３のレール及び前記第２のレールが、前記第１のレールに対して前記第１の方向に同期的に変位できるようにし、
前記第１のレールは第１のブロック部をさらに含み、
前記第２のレールが前記第３のレールに続いて伸長位置へと前記第１の方向に同期的に変位されると、前記第２のレールは、前記第１のブロック部によりブロックされて前記伸長位置に留まり、前記第３のレールは前記第２のレールに対して前記第１の方向に引き続き変位され、前記接触部の第１の接触区画が前記同期装置の第１の対応区画に押し付けられて、前記同期装置を弾性的に変形させることにより、前記接触部の第１の接触区画が前記同期装置の第１の対応区画を横切ることができる、請求項２に記載のスライドレールアセンブリ。
【請求項４】
開位置にある前記第３のレールが、前記第１の方向と反対の第２の方向に変位されると、前記同期装置と前記接触部とが協働することを介して、前記第３のレール及び前記第２のレールを前記第１のレールに対して前記第２の方向に同期的に変位させることができ、
前記接触部は第２の接触区画をさらに備え、
前記開位置にある前記第３のレールが前記第２の方向に変位されると、前記接触部は、前記第２の接触区画と前記同期装置の第２の対応区画との接触を介して、前記第３のレール及び前記第２のレールを前記第１のレールに対して同期的に変位させる、請求項３に記載のスライドレールアセンブリ。
【請求項５】
前記第１のレールは第２のブロック部を含み、
前記第２のレールが前記第３のレールに続いて、所定の引っ込め位置へと前記第２の方向に同期的に変位されると、前記第２のレールは前記第２のブロック部によってブロックされて前記所定の引っ込め位置に留まり、前記第３のレールは前記第２のレールに対して前記第２の方向に引き続き変位され、前記接触部の第２の接触区画が前記同期装置の第２の対応区画に対して押し付けられて、前記同期装置を弾性的に変形させることにより、前記接触部の第２の接触区画が前記同期装置の第２の対応区画を横切ることができる、請求項４に記載のスライドレールアセンブリ。
【請求項６】
前記同期装置は前記第２のレールに配置され、前記接触部は前記第３のレールに配置され、前記同期装置は前記第２のレールに着脱可能に配置される、請求項１乃至５のいずれか一項に記載のスライドレールアセンブリ。
【請求項７】
前記第１の接触区画及び前記第１の対応区画のうちの一方は、傾斜面又は湾曲面を含む、請求項３乃至５のいずれか一項に記載のスライドレールアセンブリ。
【請求項８】
前記第２の接触区画及び前記第２の対応区画のうちの一方は、傾斜面又は湾曲面を含む、請求項４又は５に記載のスライドレールアセンブリ。
【請求項９】
前記同期装置は第２の部分をさらに含み、前記本体部は、前記第１の部分と該第２の部分との間に接続される、請求項１乃至８のいずれか一項に記載のスライドレールアセンブリ。
【請求項１０】
前記同期装置は前記第２のレール及び前記第３のレールのうちの一方に設けられる、請求項１乃至９のいずれか一項に記載のスライドレールアセンブリ。
【発明の詳細な説明】
【技術分野】
【０００１】
本発明はスライドレールアセンブリに関し、より具体的には２つのスライドレールを同期的に変位させることが可能なスライドレールアセンブリに関する。
【背景技術】
【０００２】
特許文献１には、外側レール、中間レール及び内側レール／引き出し区画を含む伸縮スライドレールアセンブリが開示されている。中間レールはストップブロックを備え、内側レールは突起を有する。特許文献１の図３〜図５に示すように、内側レールが開方向に引っ張られると、内側レールはその突起を介してストップブロックの弾性指部（resilient  fingers）に接触し、中間レールを内側レールと共に開方向に引っ張ることができる。
【先行技術文献】
【特許文献】
【０００３】
【特許文献１】米国特許第５１８１７８２号明細書
【特許文献２】米国特許第９２４７８１５号明細書
【特許文献３】米国特許第７４１３２６９号明細書
【特許文献４】米国特許第６９９７５２９号明細書
【発明の概要】
【発明が解決しようとする課題】
【０００４】
特許文献１の図１又は図７に示すように、弾性指部の端部は互いに接続されていない。即ち、２つの弾性指部は、オープンエンドでそれらの間に間隙があるように設計されている。従って、弾性指部の端部は互いに接続されていないため、２つの弾性指部は、スライドレールを繰り返し開閉すると曲がったり、反ったり、破損したりする。これにより、内側レールの突起が２つの弾性指部と協働できず、ひいては中間レールが内側レールと共に開方向に引き出すことができなくなる。
【０００５】
従って、様々な市場の要望に応えるため、製造業者のために様々なスライドレール製品を開発することが課題となっている。
【０００６】
上記に鑑み、本発明は、２つのスライドレールを同期的に変位させることが可能なスライドレールアセンブリを提供することを目的とする。
【課題を解決するための手段】
【０００７】
上記の目的は、請求項１に記載のスライドレールアセンブリによって実現される。従属クレームは、対応するさらなる展開及び改良に関する。
【０００８】
下記の詳細な説明からより明確に分かるように、本発明のスライドレールアセンブリは第１のレールと、第１のレールに対して変位可能な第２のレールと、第２のレールに対して変位可能な第３のレールと、第２のレール及び第３のレールのうちの一方に配置される同期装置と、第２のレール及び第３のレールのうちの他方に配置される接触部と、を含む。第３のレール及び第２のレールは、同期装置が接触部と協働することを介して、第１のレールに対して同期的に変位させることができる。同期装置は、第１の部分と、該第１の部分に接続される本体部とを含み、該第１の部分は、第１の対応区画と、延在区画とを備える。第１の対応区画は、延在区画と本体部との間に接続される。
【図面の簡単な説明】
【０００９】
【図１】図１は、本発明の一実施形態に係るスライドレールアセンブリを示す概略図である。
【図２】図２は、第１のレール、第２のレール及び第３のレールを含むスライドレールアセンブリを示す分解図である。
【図３】図３は、引っ込められた状態にあるスライドレールアセンブリを示す図である。
【図４】図４は、スライドレールアセンブリの第２のレールが第１のレールに対して引っ込められ、第３のレールが第１の方向に変位可能な状態を示す図である。
【図５】図５は、スライドレールアセンブリの第３のレール及び第２のレールが第１のレールに対して第１の方向に変位可能であり、第２のレールが第１のレールに対して伸長位置にある状態を示す図である。
【図６】図６は、伸長位置にある第２のレールに対して第１の方向に変位する第３のレールを示す図である。
【図７】図７は、伸長状態にあるスライドレールアセンブリを示す図である。
【図８】図８は、伸長位置にある第２のレールに対して第２の方向に変位するスライドレールアセンブリの第３のレールを示す図である。
【図９】図９は、第１のレールに対して第２の方向に変位するスライドレールアセンブリの第３のレール及び第２のレールを示す図である。
【図１０】図１０は、スライドレールアセンブリの第２のレールが第１のレールに対して引っ込められ、第３のレールが第２の方向に変位可能であることを示す図である。
【発明を実施するための形態】
【００１０】
図１に示すように、本発明の一実施形態に係るスライドレールアセンブリ２０は複数のスライドレールを含む。本明細書では、第１のレール２２、第２のレール２４及び第３のレール２６を一例として示す。第２のレール２４は、第１のレール２２と第３のレール２６との間で可動に配置される。
【００１１】
図２及び図３に示すように、第１のレール２２は第１の壁２８ａ、第２の壁２８ｂ及び第１のレール２２の第１の壁２８ａと第２の壁２８ｂとの間に接続される長手壁３０を含む。第１のレール２２の第１の壁２８ａ、第２の壁２８ｂ及び長手壁３０は、第２のレール２４を収容する第１の通路を共に定義する。第１のレール２２は第１の端部ｆ１及び第２の端部ｒ１、例えば前端部及び後端部を含むが、本発明はこのような構成に限定されない。第１のレール２２に隣接する第１の端部ｆ１には少なくとも１つの第１のブロック部３２が設けられることが好ましい。１つの第１のブロック部３２が第１のレール２２の第１の壁２８ａに配置され、１つの第１のブロック部３２が第１のレール２２の第２の壁２８ｂに配置される。本明細書では、各第１のブロック部３２の一例として突起を示す。他方、第１のレール２２に隣接する第２の端部ｒ１には第２のブロック部３４が設けられる。第２のブロック部３４は、第１のレール２２に隣接する第２の端部ｒ１に配置される追加のアタッチメントとして配置され、弾性材料で構成されるアタッチメントを一例として示す。第１の接続部Ｋ１を含む第１のレール２２の長手壁３０及び第２の接続部Ｋ２を介して第１の接続部Ｋ１に接続可能なアタッチメントを一例として示す。第１の接続部Ｋ１及び第２の接続部Ｋ２を互いに整合する１組の突起及び凹み（孔又はスロット）として構成できるが、実際の用途ではこのような構成に限定されない。例えば、第１の接続部Ｋ１は、第２のブロック部３４を長手壁３０に固定できるように、孔又はスロットである第２の接続部Ｋ２に挿入される突起であり得る。他の代替的な又は代わりの実施形態では、第２のブロック部３４は、第１のレール２２に隣接する第２の端部ｒ１に一体的に形成することができるため、第２のブロック部３４の実施は上記の構成に限定されない。
【００１２】
第２のレール２４は、第１の壁４２ａ、第２の壁４２ｂ及び第２のレール２４の第１の壁４２ａと第２の壁４２ｂとの間に接続される長手壁４４を含む。第２のレール２４の第１の壁４２ａ、第２の壁４２ｂ及び長手壁４４は、第３のレール２６を収容する第２の通路を共に定義する。第２のレール２４は、第１の端部ｆ２及び第２の端部ｒ２、例えば前端部及び後端部を含むが、実際の用途ではこのような構成に限定されない。スライドレールアセンブリ２０は、第１のレール２２と第２のレール２４との間で可動に配置される第１の摺動支援装置３６をさらに含むことが好ましい。本明細書では、第１のレール２２の第１の通路内で第１のレール２２の第１の壁２８ａ及び第２の壁２８ｂに隣接して配置される上側ローラーストリップ３８ａ及び下側ローラーストリップ３８ｂを含む第１の摺動支援装置３６を一例として示す。第１の摺動支援装置３６の上側ローラーストリップ３８ａ及び下側ローラーストリップ３８ｂの双方は、第２のレール２４及び第１のレール２２の互いに対する変位を支援するために複数のローラー４０を含む。例えば、ボールベアリング又はホイールである複数のローラー４０は、第１のレール２２の第１の壁２８ａと第２のレール２４の第１の壁４２ａとの間の空間を支持し、下側ローラーストリップ３８ｂの複数のローラー４０は、第１のレール２２の第２の壁２８ｂと第２のレール２４の第２の壁４２ｂとの間の空間を支持する。
【００１３】
第３のレール２６は、第１の壁４６ａ、第２の壁４６ｂ、第３のレール２６の第１の壁４６ａと第２の壁４６ｂとの間に接続される長手壁４８を含む。第３のレール２６の第１の壁４６ａ、第２の壁４６ｂ及び長手壁４８の位置は、第２のレール２４の第１の壁４２ａ、第２の壁４２ｂ及び長手壁４４の位置にそれぞれ対応する。第３のレール２６は第１の端部ｆ３及び第２の端部ｒ３、例えば前端部及び後端部を含むが、実際の用途ではこのような構成に限定されない。スライドレールアセンブリ２０は、第２のレール２４と第３のレール２６との間で可動に配置される第２の摺動支援装置４５をさらに含むことが好ましい。第２の摺動支援装置４５は複数のローラー４３を含み、ボールベアリング又はホイール等の複数のローラー４３は、第２のレール２４及び第３のレール２６の互いに対する変位を支援する。第１のレール２２の第２のブロック部３４はガイド部６４を含むことが好ましい。本明細書では、傾斜面又は湾曲した表面であるガイド部６４を一例として示すが、実際の用途ではこのような構成に限定されない。
【００１４】
スライドレールアセンブリ２０は、同期装置５０及び接触部５２をさらに含む。同期装置５０は第２のレール２４及び第３のレール２６のうちの一方に配置され、（図３に示すように）接触部５２は第２のレール２４及び第３のレール２６のうちの他方に配置される。本明細書では、第２のレール２４に配置される同期装置５０及び第３のレール２６に配置される接触部５２を一例として示すが、実際の用途ではこのような構成に限定されない。同期装置５０及び第２のレール２４はスライドレールキットを形成できる。
【００１５】
同期装置５０は、第２のレール２４に一体的に形成できる。あるいは、本発明の実施形態に示すように、同期装置５０を第２のレール２４に着脱可能に配置できる。より具体的には、第２のレール２４の長手壁４４は第１の取り付け部Ｍ１を含み、同期装置５０は、第２の取り付け部Ｍ２を介して第１の取り付け部Ｍ１にラッチできるか又は取り付けることができる。第１の取り付け部Ｍ１及び第２の取り付け部Ｍ２は、整合する一組の突起及び凹部（孔又はスロット）として構成できるが、実際の用途ではこのような構成に限定されない。例えば、第１の取り付け部Ｍ１は、同期装置５０を長手壁４４に固定できるように、孔又はスロットである第２の取り付け部Ｍ２に挿入される突起であり得る。同期装置５０は、プラスチック等の弾性材料で構成される独立した部品であることが好ましいが、実際の用途ではそのような構成に限定されない。同期装置５０は、（図３に示すように）第１の部分５４と、第２の部分５６と、第１の部分５４と第２の部分５６との間に接続される本体部５８を含むことが好ましい。本体部５８は、第１の本体５８ａと、第１の本体５８ａに接続される第２の本体５８ｂとを含む。一方、第１の部分５４及び第２の部分５６は、実質的に同一の構造的構成を有するが、実際の用途ではそのような構成に限定されない。同期装置５０の第１の部分５４は、第２の部分５６に対して、第２のレール２４の第１の壁４２ａの近くにあり、同期装置５０の第２の部分５６は、第１の部分５４に対して第２のレール２４の第２の壁４２ｂの近くにあることが好ましい。第１の部分５４と本体部５８との間に第１の開口Ｈ１が構成されることが好ましい。同様に、第２の部分５６と本体部５８との間に第２の開口Ｈ２が構成される。同期装置５０の第１の部分５４は、第１の対応区画５４ａ、第２の対応区画５４ｂ及び第１の対応区画５４ａと第２の対応区画５４ｂとの間に接続される延在区画５４ｃを備える。第１の対応区画５４ａは延在区画５４ｃと本体部５８（の第１の本体５８ａ）との間に接続され、第２の対応区画５４ｂは延在区画５４ｃと本体部５８（の第２の本体５８ｂ）との間に接続される。
【００１６】
（図３に示すように）接触部５２は第１の接触区画６０及び第２の接触区画６２を含む。接触部５２は、第１の接触区画６０と第２の接触区画６２との間に接続される中間区画６１をさらに含むことが好ましい。ここで、第３のレール２６の第１の壁４６ａ及び第２の壁４６ｂの双方は接触部５２を備える。実質的に同一の構造的配置を有する２つの接触部５２を一例として示す。各接触部５２は、同期装置５０の第１の部分５４及び第２の部分５６とは別々に機能し、各々は実質的に同様に機能する。双方の接触部５２の一例として突起を示すが、実際の用途ではこのような構成に限定されない。
【００１７】
図３に示すように、スライドレールアセンブリ２０は引っ込められた状態にある。第２のレール２４は第１のレール２２に対して引っ込められ、第３のレール２６は、第２のレール２４に対して引っ込め位置Ｒにある。第３のレール２６が第２のレール２４に対して引っ込め位置Ｒにある場合、第３のレール２６及び接触部５２は、第１の方向Ｄ１への変位の際に、第１のレール２２の第２のブロック部３４のガイド部６４によってブロックされ、第３のレール２６が引っ込め位置Ｒから第１の方向Ｄ１に不意に離れるのが防止される。即ち、スライドレールアセンブリ２０を引っ込め状態で維持できる。なお、接触部５２の第１の接触区画６０及び同期装置５０の第１の対応区画５４ａのうちの一方は傾斜面又は湾曲面を有する。本明細書では、双方が傾斜面又は湾曲面である場合を一例として示すが、実際の用途ではこのような構成に限定されない。
【００１８】
さらに、第３のレール２６が第１のレール２２に対して第１の方向Ｄ１に所定の距離長手変位するように、引っ込め位置Ｒにある第３のレール２６に力が加えられ、係る力が第２のブロック部３４を弾性変形させるのに必要な力を打ち消すのに十分な力である場合、第３のレール２６の接触部５２（及びその第１の接触区画６０）は第２のブロック部３４のガイド部６４と接触できる。そして、接触部５２は、第２のブロック部３４を第１の方向Ｄ１に横切るようにガイド部６４によってガイドされ得る。
【００１９】
図４に示すように、第３のレール２６を第１のレール２２に対して第１の方向Ｄ１に引き続き変位させるために上述の力が第３のレール２６に加えられると、同期装置５０が接触部５２と協働することにより、第３のレール２６及び第２のレール２４を第１のレール２２に対して第１の方向Ｄ１に同期的に変位させることができる。より具体的には、接触部５２は、第１の接触区画６０が同期装置５０の第１の対応区画５４ａに当接することを通じて、第３のレール２６及び第２のレール２４を第１の方向Ｄ１に同期的に変位することを可能にする。このとき、第１の摺動支援装置３６の上側ローラーストリップ３８ａ及び下側ローラーストリップ３８ｂも、上側ローラーストリップ３８ａと第１のレール２２の第１の壁２８ａ及び第２のレール２４の第１の壁４２ａとの間のわずかな摩擦を介して且つ下側ローラーストリップ３８ｂと第１のレール２２の第２の壁２８ｂ及び第２のレール２４の第２の壁４２ｂとの間の僅かな摩擦を介して第１の方向Ｄ１に変位する。第２のレール２４の第１の壁４２ａ及び第２の壁４２ｂには第１の押圧部４７ａ及び第２の押圧部４７ｂが設けられていることが好ましい。
【００２０】
図５に示すように、第２のレール２４が第３のレール２６に続いて（follows）伸長位置Ｐ１へと第１の方向Ｄ１に同期的に変位されると、第２のレール２４が第１のレール２２に対して伸長位置Ｐ１で留まるように第２のレール２４が第１のレール２２の第１のブロック部３２によってブロックされる。例えば、第１の摺動支援装置３６の上側ローラーストリップ３８ａの前端及び下側ローラーストリップ３８ｂの前端は、（第１の壁２８ａ及び第２の壁２８ｂにそれぞれ配置される）第１のレール２２の２つの第１のブロック部３２に当接し、第２のレール２４の第１の押圧部４７ａ及び第２の押圧部４７ｂは、第１の摺動支援装置３６の上側ローラーストリップ３８ａの後端及び下側ローラーストリップ３８ｂの後端にそれぞれ当接する。そのような構成では、第２のレール２４は、第１のレール２２に対して伸張位置Ｐ１で留まることができる。スライドレールアセンブリ２０が上側ローラーストリップ３８ａ及び下側ローラーストリップ３８ｂを含まない他の代替的な又は代わりの実施形態では、第２のレール２４は、第１のレール２２の２つの第１のブロック部３２が第１の押圧部４７ａ及び第２の押圧部４７ｂと接触することにより直接ブロックされ得る。このように、第２のレール２４を第１のレール２２に対して伸長された状態で留める及び／又はさらに伸長させることができる。従って、実際の用途では、このようなブロック構成の実施は上記の構成に限定されない。
【００２１】
図５及び図６に示すように、本実施形態における接触部５２の第１の接触区画６０及び同期装置５０の第１の対応区画５４ａは、全て傾斜面又は湾曲面を含む。この場合、第２のレール２４は第１のレール２２によってブロックされる。伸長位置Ｐ１にある第２のレール２４に対して第３のレール２６を第１の方向Ｄ１に引き続き変位させる力がさらに大きくなると、接触部５２の第１の接触区画６０は、傾斜面又は湾曲面を介して同期装置５０の第１の対応区画５４ａを押圧し、（図６に示すように）同期装置５０を弾性変形させることで、接触部５２の第１の接触区画６０が同期装置５０の第１の対応区画５４ａを横切ることができるようにする。図６に示すように、同期装置５０の第１の部分５４及び第２の部分５６は、第３のレール２６の第１の壁４６ａ及び第２の壁４６ｂの接触部５２の中間区画６１によって押圧すること（又は圧迫すること）ができる。第１の開口Ｈ１は、同期装置５０の第１の部分５４が本体部５８の方へと第１の所定の方向Ｂ１に弾性変形するのを補助することができることが好ましい。同様に、第２の開口Ｈ１は、同期装置５０の第２の部分５６が本体部５８の方へと第１の所定の方向Ｂ１と反対の第２の所定の方向Ｂ２に弾性変形するのを補助することができることが好ましい。
【００２２】
図７に示すように、スライドレールアセンブリ２０は伸長状態にある。とりわけ、接触部５２が同期装置５０の第１の対応区画５４ａを第１の方向Ｄ１に横切った後、第３のレール２６は、伸長位置Ｐ１にある第２のレール２４に対して開位置Ｐ２に変位させることができる。
【００２３】
図８に示すように、接触部５２の第２の接触区画６２及び同期装置５０の第２の対応区画５４ｂのうちの一方は傾斜面又は湾曲面を含む。本明細書では、双方が傾斜面又は曲面である場合を例示として示すが、実際の用途ではこのような構成に限定されない。また、上述の開位置Ｐ２にある第３のレール２６が、上述の第１の方向Ｄ１とは反対の第２の方向Ｄ２に変位されると、第３のレール２６及び第２のレール２４は、同期装置５０が接触部５２と協働することを介して第１のレール２２に対して第２の方向Ｄ２に同期的に変位できる。第３のレール２６が上述した開位置Ｐ２から第２の方向Ｄ２に変位されると、接触部５２は、第２の接触区画６２が同期装置５０の第２の対応区画５４ｂに当接することを介して、第３のレール２６及び第２のレール２４が第２の方向Ｄ２に同期的に変位できるようにする。
【００２４】
図９に示すように、第２のレール２４が第３のレール２６に続いて所定の引っ込め位置Ｘへと第２の方向Ｄ２に変位されると、第２のレール２４の一部（例えば、第２のレール２４の第２の端部ｒ２）は、第１のレール２２の第２のブロック部３４によってブロックされ、第２のレール２４は所定の引っ込め位置Ｘで留まる。
【００２５】
図９及び図１０に示すように、本実施形態における接触部５２の第２の接触区画６２及び同期装置５０の第２の対応区画５４ｂは全て傾斜面又は湾曲面を含む。第３のレール２６が、所定の引っ込め位置Ｘにある第２のレール２４に対して第２の方向Ｄ２に引き続き変位されると、接触部５２の第２の接触区画６２は、傾斜面又は湾曲面を介して同期装置５０の第２の対応区画５４ｂに押し付けられて同期装置５０を弾性的に変形させ（弾性変形の原理は、図６に示す同期装置５０と実質的に同じである）、接触部５２の第２の接触区画６２が同期装置５０の第２の対応区画５４ｂを横切ることができるようにする。図１０に示すように、同期装置５０の第１の部分５４及び第２の部分５６は、第３のレール２６の第１の壁４６ａ及び第２の壁４６ｂの接触部５２の中間区画６１により押すこと（又は押し込む）ことができる。第１の開口Ｈ１は、同期装置５０の第１の部分５４が、本体部５８の方へと上述の第１の所定の方向Ｂ１に弾性変形するのを補助することができるのが好ましい。同様に、第２の開口Ｈ２は、同期装置５０の第２の部分５６が、本体部５８の方へと上述の第２の所定の方向Ｂ２に弾性変形するのを補助することができるのが好ましい。接触部５２が同期装置５０の第２の対応区画５４ｂを第２の方向Ｄ２に横切った後、第３のレール２６は、所定の引っ込め位置Ｘにある第２のレール２４に対して上述の引っ込め位置Ｒに戻るよう変位させることができる（図３も参照されたい）。
【００２６】
なお、本発明の実施形態の図３〜図５に示すように、同期装置５０の第１の部分５４の第１の対応区画５４ａは傾斜面又は湾曲面を含み得る。第２の対応区画５４ｂに対してより大きい／より勾配が大きい傾斜又は曲率を有するこのような傾斜面又は湾曲表面は、第３のレール２６及び第２のレール２４が第１の方向Ｄ１に同期的に移動する間に、第１の対応区画５４ａが第１の接触区画６０と接触を維持できるようにする（接触状態に留まることができるようにする）。即ち、第２の対応区画５４ｂに対して第１の対応区画５４ａがより大きい／より勾配が大きい傾斜又は曲率を有する場合、第１の接触区画６０は容易に第１の対応区画５４ａを第１の方向Ｄ１に横切ることができない。他方、本発明の実施形態の図９〜図１０に示すように、第１の対応区画５４ａに対してより小さい／より勾配が小さい傾斜又は曲率を有する第２の対応区画５４ｂの傾斜又は湾曲面は、第１の接触区画６０がより容易に第２の対応区画５４ｂを第２の方向Ｄ２に横切ることができるようにする。
【００２７】
前述の実施形態から、本発明のスライドレールアセンブリは以下の利点を有することが分かる。
【００２８】
１）同期装置５０が接触部５２と協働することを介して、第３のレール２６及び第２のレール２４を第１のレール２２に対して第１の方向Ｄ１又は第２の方向Ｄ２に同期的に変位させることができる。
【００２９】
２）同期装置５０が接触部５２と協働することを介して、第３のレール２６及び第２のレール２４を同期的に変位させる機能を実現できるため、スライドレールアセンブリの構造の全体的な設計が簡素化される。
【００３０】
３）同期装置５０の第１の部分５４は第１の対応区画５４ａ、第２の対応区画５４ｂ及び第１の対応区画５４ａと第２の対応区画５４ｂとの間に接続される延在区画５４ｃを備える。第１の対応区画５４ａは、延在区画５４ｃと本体部５８（の第１の本体５８ａ）との間に接続され、第２の対応区画５４ｂは、延在区画５４ｃと本体部５８の（第２の本体５８ｂ）との間に接続される。このような構成は、従来技術に対して同期装置５０の構造強度及び効率を高め、スライドレールアセンブリ２０の同期変位の機能をより確実に実現できる。
【００３１】
４）同期装置５０は、弾性材料、弾力性材料又は変形可能な材料で構成される。第３の開口Ｈ１は、同期装置５０の第１の部分５４が本体部５８の方に弾性変形するのを補助することができ、同様に、第２の開口Ｈ２は、同期装置５０の第２の部分５６が本体部５８の方に弾性変形するのを補助することができる。
【００３２】
５）同期装置５０は、スライドレール（例えば、第２のレール２４）に着脱可能に配置される。従って、ユーザの要望に応じて、同期装置５０をスライドレールに設置又は取り付けることができる。
【符号の説明】
【００３３】
２０  スライドレールアセンブリ
２２  第１のレール
２４  第２のレール
２６  第３のレール
３２  第１のブロック部
３４  第２のブロック部
３６  第１の摺動支援装置
４５  第１の摺動支援装置
５０  同期装置
５２  接触部
５４  第１の部分
５４ａ  第１の対応区画
５４ｂ  第２の対応区画
５６  第２の部分
５８  本体部
６０  第１の接触区画
６２  第２の接触区画
６４  ガイド部
【図１】
0006945021.tif 000002
【図２】
0006945021.tif 000003
【図３】
0006945021.tif 000004
【図４】
0006945021.tif 000005
【図５】
0006945021.tif 000006
【図６】
0006945021.tif 000007
【図７】
0006945021.tif 000008
【図８】
0006945021.tif 000009
【図９】
0006945021.tif 000010
【図１０】
0006945021.tif 000011